(57)【特許請求の範囲】
【請求項１】
互いに交差する複数のドライブ線および複数の走査線と、前記各ドライブ線および前記各走査線による複数の交差位置の各々にて、前記ドライブ線および前記走査線間に接続された極性を有する複数の容量性の発光素子からなる発光表示パネルの駆動装置であって、
前記走査線に加える逆バイアスの電圧値を制御する逆バイアス電圧生成手段が具備され、前記逆バイアス電圧生成手段は、前記走査線のいずれかを基準電位に設定して発光素子を発光駆動させる走査状態において、前記基準電位が設定されない非走査状態における発光素子の寄生容量を介して非走査状態の走査線に生ずるライン電圧を取得して前記逆バイアス電圧値を制御し、非走査状態における走査線に対して前記逆バイアス電圧を印加するように構成したことを特徴とする発光表示パネルの駆動装置。
【請求項２】
前記各走査線には、各走査線に対応して走査スイッチが接続され、前記走査線のいずれかを当該走査線に接続された走査スイッチを介して基準電位に設定して走査状態とし、非走査状態における走査線のライン電圧を、当該走査線に接続された走査スイッチを介して取得すると共に、前記逆バイアス電圧生成手段による逆バイアス電圧を非走査状態における各走査線に印加するように構成した請求項１に記載の発光表示パネルの駆動装置。
【請求項３】
前記非走査状態における走査線のライン電圧におけるピーク値をホールドするピークホールド手段が具備され、前記ピークホールド手段によりホールドされたピーク値に基づいて、前記逆バイアス電圧生成手段により生成される逆バイアス電圧の電圧値が制御されるように構成した請求項１または請求項２に記載の発光表示パネルの駆動装置。
【請求項４】
前記ピークホールド手段には、ホールドされたピーク値を除々に放電させる放電手段が具備されてなる請求項３に記載の発光表示パネルの駆動装置。
【請求項５】
前記ピークホールド手段には、ホールドされたピーク値を瞬時にリセットすることができるピーク値リセット手段が具備されてなる請求項３または請求項４に記載の発光表示パネルの駆動装置。
【請求項６】
前記ピーク値リセット手段は、画像信号に基づいて発光表示パネルを駆動する発光制御回路からの指令信号によって、リセット動作が実行されるように構成した請求項５に記載の発光表示パネルの駆動装置。
【請求項７】
前記逆バイアス電圧生成手段は、前記ピークホールド手段によりホールドされたピーク値に基づいて、逆バイアス電圧を生成する電圧バッファ回路により構成された請求項３ないし請求項５のいずれかに記載の発光表示パネルの駆動装置。
【請求項８】
前記ピークホールド手段の入力端から逆バイアス電圧を生成する電圧バッファ回路の出力端に至るループ経路に、ループゲインを１未満に設定する帰還量調整手段が具備されてなる請求項７に記載の発光表示パネルの駆動装置。
【請求項９】
前記ピークホールド手段が、電圧バッファ回路と当該バッファ回路の出力端に接続された充電時定数を構成する第１抵抗器と前記第１抵抗器を介して接続されたピークホールド用のコンデンサとにより構成され、前記コンデンサと並列に放電時定数を構成する第２抵抗器が接続されてなり、前記第１抵抗器と第２抵抗器とにより、前記帰還量調整手段を構成してなる請求項８に記載の発光表示パネルの駆動装置。
【請求項１０】
前記各ドライブ線には定電流源が配置され、当該定電流源を介して走査状態の各発光素子に対して選択的に定電流が供給されるように構成されると共に、前記各ドライブ線に配置された定電流源に供給される駆動電圧が、前記ピークホールド手段によりホールドされたピーク値に基づいて設定されるように構成した請求項３または請求項４に記載の発光表示パネルの駆動装置。
【請求項１１】
前記定電流源に供給される駆動電圧が、ＤＣ−ＤＣコンバータより供給されるようになされ、かつ、前記ＤＣ−ＤＣコンバータの出力電圧は、当該出力電圧の分圧電圧と基準電圧との差分に基づいて制御されるように構成され、前記ピークホールド手段によりホールドされたピーク値に基づいて、前記分圧電圧が制御されるように構成した請求項１０に記載の発光表示パネルの駆動装置。
【請求項１２】
前記複数の走査線を順次走査する走査状態において、各走査期間の終了ごとに前記各ドライブ線および各走査線を全て同一電位に設定するリセット操作が実行されるようになされた請求項１ないし請求項１１のいずれかに記載の発光表示パネルの駆動装置。
【請求項１３】
前記発光素子は、有機エレクトロルミネッセンス素子である請求項１ないし請求項１２のいずれかに記載の発光表示パネルの駆動装置。
【発明の詳細な説明】
【０００１】
【発明の属する技術分野】
この発明は、例えば有機ＥＬ（エレクトロルミネッセンス）素子等の容量性発光素子を発光駆動する技術に関し、特に複数の有機ＥＬ素子を配列した表示パネルを駆動する場合において、非発光状態の陰極走査ラインに印加する逆バイアス電圧を随時適正に制御することで、ＥＬ素子のクロストーク発光を抑制すると共に、好適な発光輝度特性を得ることができる発光表示パネルの駆動装置に関する。
【０００２】
【従来の技術】
液晶ディスプレイに代わる低消費電力および高表示品質、並びに薄型化が可能なディスプレイとして、有機ＥＬディスプレイが一部において実用化されている。これはＥＬディスプレイに用いられるＥＬ素子の発光層に、良好な発光特性を期待することができる有機化合物を使用することによって、実用に耐えうる高効率化および長寿命化が進んだことが背景にある。
【０００３】
有機ＥＬ素子は、電気的には図４に示すような等価回路で表すことができる。すなわち、有機ＥＬ素子は、ダイオード成分Ｅと、このダイオード成分に並列に結合する寄生容量成分Ｃp とによる構成に置き換えることができ、有機ＥＬ素子は容量性の発光素子であると考えられている。この有機ＥＬ素子は、発光駆動電圧が印加されると、先ず、当該素子の電気容量に相当する電荷が電極に変位電流として流れ込み蓄積される。続いて当該素子固有の一定の電圧（発光閾値＝Ｖth）を越えると、電極（ダイオード成分Ｅの陽極側）から発光層を構成する有機層に電流が流れ初め、この電流に比例した強度で発光すると考えることができる。
【０００４】
図５は、このような有機ＥＬ素子の発光静特性を示したものである。これによれば、有機ＥＬ素子は図５（ａ）に示すように、駆動電圧（Ｖ）が発光閾値電圧（Ｖth）以上の場合において、急激に電流（Ｉ）が流れて発光する。換言すれば、印加される駆動電圧が発光閾値電圧以下であれば、寄生容量への充電後はＥＬ素子には殆ど駆動電流は流れず発光しない。そして、駆動電圧（Ｖ）が発光閾値電圧以上の発光可能領域においては、図５（ｂ）に示すように、駆動電流（Ｉ）にほぼ比例した輝度（Ｌ）で発光する特性を有している。したがって、ＥＬ素子の輝度特性は図５（ｃ）に示すように前記閾値電圧より大なる発光可能領域においては、それに印加される電圧（Ｖ）の値が大きくなるほど、その発光輝度（Ｌ）が大きくなる特性を有している。
【０００５】
一方、前記した有機ＥＬ素子は、長期の使用によって素子の物性が変化し、素子自身の抵抗値が大きくなるという特性を有している。このために有機ＥＬ素子は、図５（ａ）に示したように実使用時間の経過によってＶ−Ｉ特性が矢印で示した方向（破線で示した特性）に変化し、したがって輝度特性も劣化することになる。
【０００６】
さらに、有機ＥＬ素子の輝度特性は、環境温度によって概ね図５（ｃ）に破線で示したように変化することも知られている。すなわち、ＥＬ素子は前記した発光閾値電圧よりも大なる発光可能領域においては、それに印加される電圧（Ｖ）の値が大きくなるほど、その発光輝度（Ｌ）が大きくなる特性を有しているが、高温になるほど発光閾値電圧が小さくなる。したがって、前記ＥＬ素子は、高温になるほど、小さい印加電圧で発光可能な状態となり、同じ発光可能な印加電圧を与えても、高温時は明るく低温時は暗いといった輝度の温度依存性を有している。
【０００７】
かかる複数の有機ＥＬ素子を配列させて構成した表示パネルの駆動方法としては、単純マトリクス駆動方式が適用可能である。図６に単純マトリクス表示パネルと、その駆動装置の一例が示されている。この単純マトリクス駆動方式における有機ＥＬ素子のドライブ方法には、陰極線走査・陽極線ドライブ、および陽極線走査・陰極線ドライブの２つの方法があるが、図６に示す構成は前者の陰極線走査・陽極線ドライブの形態を示している。すなわち、ｎ本のドライブ線としての陽極線Ａ1 〜Ａn が縦方向に、ｍ本の走査線としての陰極線Ｂ1 〜Ｂm が横方向に配列され、各々の交差した部分（計ｎ×ｍ箇所）に、ダイオードのシンボルマークで示した有機ＥＬ素子ＯＥＬが配置され、表示パネル１を構成している。
【０００８】
そして、画素を構成する各ＥＬ素子は、格子状に配列され、縦方向に沿う陽極ドライブ線Ａ1 〜Ａn と横方向に沿う陰極走査線Ｂ1 〜Ｂm との交差位置に対応して一端（前記した等価回路のダイオード成分Ｅのアノード端子）が陽極ドライブ線に、他端（前記した等価回路のダイオード成分Ｅのカソード端子）が陰極走査線に接続される。また、陽極ドライブ線は陽極線ドライブ回路２に接続され、陰極走査線は陰極線走査回路３に接続されてそれぞれ駆動される。
【０００９】
前記陰極線走査回路３には、各陰極走査線Ｂ1 〜Ｂm に対応して走査スイッチＳY1〜ＳYmが備えられ、クロストーク発光を防止するための逆バイアス電圧生成回路５からの逆バイアス電圧（ＶM ）または基準電位点としてのアース電位のうちのいずれか一方を、対応する陰極走査線に接続するように作用する。また、陽極線ドライブ回路２には、各陽極ドライブ線を通じて駆動電流を個々のＥＬ素子に供給する定電流源としての定電流回路Ｉ1 〜Ｉn およびドライブスイッチＳX1〜ＳXnが備えられている。
【００１０】
このドライブスイッチＳX1〜ＳXnは、定電流回路Ｉ1 〜Ｉn からの電流またはアース電位のうちのいずれか一方をそれぞれに対応する陽極線に接続するように作用する。したがって、ドライブスイッチＳX1〜ＳXnが前記定電流回路側に接続されることにより、定電流回路Ｉ1 〜Ｉn からの電流が、陰極走査線に対応して配置された個々のＥＬ素子に対して供給されるように作用する。
【００１１】
なお、前記定電流回路に代えて定電圧回路等の駆動源を用いることも可能であるが、ＥＬ素子の電流・輝度特性が温度変化に対して安定しているのに対し、電圧・輝度特性が温度変化に対して不安定であること、また過電流により素子を劣化させるのを防止する等の理由により、図６に示したように駆動源として定電流回路を用いるのが一般的である。
【００１２】
前記陽極線ドライブ回路２および陰極線走査回路３には、発光制御回路４よりコントロールバスが接続されており、発光制御回路４に供給される表示すべき画像信号に基づいて、前記走査スイッチＳY1〜ＳYmおよびドライブスイッチＳX1〜ＳXnが操作される。そして、画像信号に基づいて陰極走査線を所定の周期で基準電位に設定しながら所望の陽極線に対して定電流回路が接続される。これにより、前記各発光素子は選択的に発光し、表示パネル１上に前記画像信号に基づく画像が再生される。
【００１３】
前記陽極線ドライブ回路２における各定電流回路Ｉ1 〜Ｉn には、ＤＣ−ＤＣコンバータによる昇圧回路６からもたらされるＤＣ出力（駆動電圧＝ＶCOM ）が供給されるように構成されている。なお、以下に説明するＤＣ−ＤＣコンバータによる昇圧回路６は、ＰＷＭ制御（pulse width modulation）により直流出力を生成するようにしているが、これはＰＦＭ制御（pulse frequency modulation）を利用することもできる。
【００１４】
このＤＣ−ＤＣコンバータは、スイッチングレギュレータ回路１１から出力されるＰＷＭ波がスイッチング素子としてのｎｐｎトランジスタＱ1 を所定のデューティーサイクルでオン制御するように構成されている。すなわち、トランジスタＱ1 のオン動作によって、ＤＣ電圧源１２からの電力エネルギーがインダクタＬ1 に蓄積され、トランジスタＱ1 のオフ動作に伴い、前記インダクタに蓄積された電力エネルギーは、ダイオードＤ1 を介してコンデンサＣ1 に蓄積される。そして、前記トランジスタＱ1 のオン・オフ動作の繰り返しにより、昇圧されたＤＣ出力をコンデンサＣ1 の端子電圧として得ることができる。
【００１５】
前記ＤＣ出力電圧は、抵抗Ｒ3 と温度補償用のサーミスタＴＨ1 からなる並列回路、この並列回路に直列接続された抵抗Ｒ2 とＲ1 の接続点において分圧され、スイッチングレギュレータ回路１１におけるオペアンプによる誤差増幅器１４に供給され、この誤差増幅器１４において基準電圧Ｖref と比較される。この比較出力（誤差出力）がＰＷＭ回路１５に供給され、発振器１６からもたらされる信号波のデューティを制御することで、前記出力電圧を所定の定電圧に維持するようにフィードバック制御される。
【００１６】
図６に示した構成においては、前記したように誤差増幅器１４に帰還されるフィードバック系に、サーミスタＴＨ1 が挿入されており、サーミスタＴＨ1 が保有する温度特性によって、ＤＣ−ＤＣコンバータ６により得られる出力電圧Ｖout を調整し、結果として出力電圧Ｖout を分圧して得られる後述する逆バイアス電圧ＶM を、環境温度に応じて可変するようになされている。ここで、前記したＤＣ−ＤＣコンバータ６により得られる出力電圧Ｖout は、次のように示すことができる。なお、次式において“ＴＨ1 ／／Ｒ3 ”はサーミスタＴＨ1 と、抵抗Ｒ3 との並列合成抵抗値を示す。
【００１７】
【数１】
0004873677.tif 000002
【００１８】
一方、前記したクロストーク発光を防止するために利用される逆バイアス電圧生成回路５は、前記出力電圧Ｖout を分圧する分圧回路により構成されている。すなわち、この分圧回路は、抵抗Ｒ4 ，Ｒ5 、およびエミッタフォロワとして機能するｎｐｎトランジスタＱ2 により構成されている。したがって、トランジスタＱ2 におけるベース・エミッタ間電圧をＶbeとすれば、この分圧回路により得られる逆バイアス電圧ＶM は、概ね次のように表すことができる。
【００１９】
【数２】
0004873677.tif 000003
【００２０】
以上の構成において、発光制御回路４は、陰極線走査回路３における陰極走査線Ｂ1 〜Ｂm を所定の周期で走査しながら、画像信号に基づいて陽極線ドライブ回路２におけるドライブスイッチＳX1〜ＳXnを制御し、各陽極ドライブ線Ａ1 〜Ａn に対して定電流回路Ｉ1 〜Ｉn を選択的に接続する。これにより、前記各発光素子を選択的に発光させるように作用する。この時、非走査状態の陰極線には前記した逆バイアス電圧生成回路５からの逆バイアス電圧ＶM が印加され、これにより、ドライブされている陽極線と走査選択がなされていない陰極線との交点に接続された各ＥＬ素子が、クロストーク発光するのが阻止されるように作用する。
【００２１】
ところで、有機ＥＬ素子は、前記したように寄生容量Ｃp を有しており、例えば１つの陽極ドライブ線に数十個のＥＬ素子が接続されている場合を例にすると、当該陽極ドライブ線からみて各寄生容量の数十倍の合成容量が負荷容量として陽極ドライブ線に接続されることになる。
【００２２】
したがって、走査期間の先頭で陽極ドライブ線からの電流は、前記負荷容量を充電するために費やされ、ＥＬ素子の発光閾値電圧を十分に超えるまで充電するためには時間遅れが発生し、結局ＥＬ素子の発光立上がりが遅れるという問題が発生する。特に、前記したように駆動源として定電流源Ｉ1 〜Ｉn を用いた場合においては、定電流源は動作原理上、ハイインピーダンス出力回路であるがため、電流が制限されてＥＬ素子の発光立上がりの遅れが顕著に発生する。
【００２３】
そこで、この種の駆動回路においては、一般的に陰極リセット法が採用される。この陰極リセット法は、例えば特開平９−２３２０７４号公報に開示されており、走査線を切り換えた際に、次の走査線に対応して発光駆動されるＥＬ素子の発光立上りを早めるように作用する。
【００２４】
前記陽極線ドライブ回路２に備えられたドライブスイッチＳX1〜ＳXnは、定電流源Ｉ1 〜Ｉn 、もしくはアース電位に択一的に接続されるように作用し、スイッチＳX1〜ＳXnがアース電位に接続された場合においては、陽極ドライブ線はアース電位に設定される。したがって、このドライブスイッチＳX1〜ＳXnを利用して、前記した陰極リセット法を実現させることができる。
【００２５】
図７は陰極リセット動作を説明するものであり、例えば第１の陽極ドライブ線Ａ1 に接続されているＥＬ素子Ｅ11が発光駆動されている状態から、次の走査において、同じく第１の陽極ドライブ線Ａ1 に接続されているＥＬ素子Ｅ12が発光駆動される状態が示されている。なお、図７においては、発光駆動されるＥＬ素子がダイオードのシンボルマークとして示されており、他は寄生容量としてのコンデンサのシンボルマークで示されている。
【００２６】
図７（ａ）は、陰極リセット動作の前の状態を示しており、陰極走査線Ｂ1 が走査されＥＬ素子Ｅ11が発光している状態を示す。次の走査でＥＬ素子Ｅ12を発光させることになるが、ＥＬ素子Ｅ12を発光させる前に、（ｂ）に示すように陽極ドライブ線Ａ1 および全陰極走査線をアース電位にリセットして、各ＥＬ素子の全電荷を放電させる。これには、各走査スイッチＳY1〜ＳYmがアース側に接続されると共に、ドライブスイッチＳX1がアース側に接続される。次にＥＬ素子Ｅ12を発光させるために、陰極走査線Ｂ2 が走査状態にされる。すなわち、陰極走査線Ｂ2 がアースに接続され、それ以外の陰極走査線には、逆バイアス電圧ＶM が与えられる。なお、この時、ドライブスイッチＳX1は定電流源Ｉ1 側に切り換えられる。
【００２７】
したがって、前述したリセット時に各素子における寄生容量の電荷が放電しているため、この瞬間において（ｃ）に示すように、次に発光される素子Ｅ12以外の素子による寄生容量に対して、矢印で示すように逆バイアス電圧ＶM による逆方向の充電がなされる。これらに対する充電電流は、陽極ドライブ線Ａ1 を介して、次に発光されるＥＬ素子Ｅ12に流入し、当該ＥＬ素子Ｅ12の寄生容量を充電する。この時、ドライブ線Ａ1 に接続された定電流源Ｉ1 は、前記したとおり基本的にはハイインピーダンス出力回路であり、この充電電流の動きには影響を与えない。
【００２８】
この場合、前記ドライブ線Ａ1 に、例えば６４個のＥＬ素子が配列されていると仮定し、また、前記した逆バイアス電圧ＶM が例えば１０（Ｖ）であるとすると、前記した充電作用により、陽極ドライブ線Ａ1 の電位Ｖ（A1）は、パネル内の配線インピーダンスは無視できるほど小さいため、瞬時に次に示す数式３に基づく電位に上昇する。例えば外形が１００ｍｍ×２５ｍｍ（２５６×６４ｄｏｔ）程度の表示パネルでは、この動作は約１μｓｅｃで完結する。
【００２９】
【数３】
0004873677.tif 000004
【００３０】
その後、ドライブ線Ａ1 に流れる定電流源Ｉ1 からの駆動電流により、（ｄ）に示すようにＥＬ素子Ｅ12が発光状態になる。以上のように、前記した陰極リセット法は、本来駆動の障害となるＥＬ素子の寄生容量とクロストーク発光防止用の逆バイアス電圧を利用して、次に点灯駆動させるＥＬ素子の順方向電圧を瞬時に立ち上げるように作用する。
【００３１】
【発明が解決しようとする課題】
前記したような陰極リセット法を利用した場合には、次の走査で点灯駆動されるＥＬ素子の順方向電圧は瞬時に立ち上げられると共に、定電流源からの駆動電流を受けてＥＬ素子は発光駆動される。したがって、前記逆バイアス電圧ＶM の値をより高く設定すれば、クロストーク発光を効果的に抑制でき、また、次の走査において発光されるＥＬ素子への順方向電圧の初期充電電圧もそれに応じて増大するので、一見好ましいように考えられる。しかしながら、前記した逆バイアス電圧ＶM の値を過度に大きく設定した場合においては、いわゆるリーク現象を引き起こして、表示パネルの表示品位を低下させるという問題が発生する。そのために、従来のこの種の駆動回路においては、前記逆バイアス電圧ＶM は、ＥＬ素子の順方向電圧Ｖf に近い値の固定電圧に設定されている。
【００３２】
ところで、この種のＥＬ素子は、図５（ａ）に基づいて説明したように、経時変化により順方向電圧が上昇するという問題を抱えている。また、この種のＥＬ素子は、図５（ｃ）に基づいて説明したように環境温度により順方向電圧が変動するという問題も抱えている。ここで、例えば経時変化により順方向電圧が上昇した場合を考えると、前記した逆バイアス電圧ＶM は固定の電圧値であるため、走査直前においてＥＬ素子に初期充電される電圧ＶM と、素子の順方向電圧Ｖf との間に除々に開きが発生する。この結果、固定の逆バイアス電圧ＶM からの初期充電動作によるＥＬ素子の発光開始時期に遅れが生じ、ＥＬ素子の発光量が除々に減少するという問題が発生する。換言すれば、ＥＬ素子が所定の発光量を確保できる期間が短縮され、ＥＬ素子の寿命が実質的に短くなるという問題に帰着する。
【００３３】
この種のＥＬ素子における順方向電圧の変化は、前記した経時変化、温度依存性に加え、ＥＬ素子を製造する際の成膜（蒸着）処理等のばらつきによっても、その順方向電圧にばらつきが発生する。さらに、この種のＥＬ素子はＲ（赤色）、Ｇ（緑色）、Ｂ（青色）等の発光色によっても、その順方向電圧が異なるという問題を抱えており、結果としてＥＬ素子の発光輝度にばらつきが発生する。
【００３４】
さらに、逆バイアス電圧ＶM を生成する手段として、図６に示したように抵抗分割とエミッタフォロワ構成による生成回路を採用したとしても、順方向電圧Ｖf が逆バイアス電圧ＶM よりも高い場合、表示パネルにおける点灯素子数および点灯輝度に応じて、非走査ラインの各ＥＬ素子の寄生容量を介してエミッタフォロワ抵抗に流れる電流が変動するという現象が発生する。このために、逆バイアス電圧ＶM が変動し、これにより逆バイアス電圧ＶM と素子の順方向電圧Ｖf と間の電位差に変動が生じ、結果としてＥＬ素子の発光輝度にばらつきが発生する。
【００３５】
さらにまた、図６に示したようにサーミスタＴＨ1 を用い、結果として逆バイアス電圧ＶM を温度補償するようにしても、サーミスタによる温度補償のレスポンスが遅く、また温度補償カーブがＥＬ素子の特性に必ずしも一致しないなどの要因により、満足な補償特性を得ることが困難である。そして、前記サーミスタは、表示パネルに対して熱密着状態となるように配置するのが理想的であるものの、現実的にはそのような構成を採ることは困難であり、サーミスタの配置設計に苦慮を強いられるなどの問題点も抱えている。
【００３６】
この発明は、前記した各問題点に着目してなされたものであり、前記したような有機ＥＬ素子に代表される発光素子の発光輝度を無調整で安定化させることができ、発光素子の動作寿命を実質的に延ばすことができる発光表示パネルの駆動装置を提供することを目的とするものである。
【００３７】
【課題を解決するための手段】
前記した目的を達成するためになされたこの発明にかかる発光表示パネルの駆動装置は、互いに交差する複数のドライブ線および複数の走査線と、前記各ドライブ線および前記各走査線による複数の交差位置の各々にて、前記ドライブ線および前記走査線間に接続された極性を有する複数の容量性の発光素子からなる発光表示パネルの駆動装置であって、前記走査線に加える逆バイアスの電圧値を制御する逆バイアス電圧生成手段が具備され、前記逆バイアス電圧生成手段は、前記走査線のいずれかを基準電位に設定して発光素子を発光駆動させる走査状態において、前記基準電位が設定されない非走査状態における発光素子の寄生容量を介して非走査状態の走査線に生ずるライン電圧を取得して前記逆バイアス電圧値を制御し、非走査状態における走査線に対して前記逆バイアス電圧を印加するように構成した点に特徴を有する。
【００３８】
この場合、前記各走査線には、各走査線に対応して走査スイッチが接続され、前記走査線のいずれかを当該走査線に接続された走査スイッチを介して基準電位に設定して走査状態とし、非走査状態における走査線のライン電圧を、当該走査線に接続された走査スイッチを介して取得すると共に、前記逆バイアス電圧生成手段による逆バイアス電圧を非走査状態における各走査線に印加するように構成される。
【００３９】
また、前記非走査状態における走査線のライン電圧におけるピーク値をホールドするピークホールド手段が具備されることが望ましく、前記ピークホールド手段によりホールドされたピーク値に基づいて、前記逆バイアス電圧生成手段により生成される逆バイアス電圧の電圧値が制御されるように構成される。加えて、前記ピークホールド手段には、ホールドされたピーク値を除々に放電させる放電手段が具備されていることが望ましい。
【００４０】
一方、前記ピークホールド手段には、好ましくはホールドされたピーク値を瞬時にリセットすることができるピーク値リセット手段が具備される。そして、好ましい実施の形態においては、前記ピーク値リセット手段は、画像信号に基づいて発光表示パネルを駆動する発光制御回路からの指令信号によって、リセット動作が実行されるように構成される。
【００４１】
そして、前記逆バイアス電圧生成手段は、好ましくはピークホールド手段によりホールドされたピーク値に基づいて、逆バイアス電圧を生成する電圧バッファ回路により構成される。この場合、前記ピークホールド手段の入力端から逆バイアス電圧を生成する電圧バッファ回路の出力端に至るループ経路に、ループゲインを１未満に設定する帰還量調整手段が具備されていることが望ましい。
【００４２】
そして、好ましい実施の形態においては、前記ピークホールド手段が、電圧バッファ回路と当該バッファ回路の出力端に接続された充電時定数を構成する第１抵抗器と前記第１抵抗器を介して接続されたピークホールド用のコンデンサとにより構成され、前記コンデンサと並列に放電時定数を構成する第２抵抗器が接続され、前記第１抵抗器と第２抵抗器とにより、前記帰還量調整手段が構成される。
【００４３】
一方、この発明にかかる発光表示パネルの駆動装置においては、前記各ドライブ線には定電流源が配置され、当該定電流源を介して走査状態の各発光素子に対して選択的に定電流が供給されるように構成されると共に、前記各ドライブ線に配置された定電流源に供給される駆動電圧が、前記ピークホールド手段によりホールドされたピーク値に基づいて設定されるように構成される場合もある。
【００４４】
この場合、前記定電流源に供給される駆動電圧が、好ましくはＤＣ−ＤＣコンバータより供給されるようになされ、かつ、前記ＤＣ−ＤＣコンバータの出力電圧は、当該出力電圧の分圧電圧と基準電圧との差分に基づいて制御されるように構成され、前記ピークホールド手段によりホールドされたピーク値に基づいて、前記分圧電圧が制御されるように構成される。
【００４５】
そして、前記したいずれの構成を採用した場合においても、前記複数の走査線を順次走査する走査状態において、各走査期間の終了ごとに前記各ドライブ線および各走査線を全て同一電位に設定するリセット操作が実行されるようになされることが望ましい。そして、前記した各構成は、有機エレクトロルミネッセンス素子を発光素子として用いた発光表示パネルの駆動装置に好適に利用することができる。
【００４６】
一方、この発明にかかる発光表示パネルの駆動方法は、互いに交差する複数のドライブ線および複数の走査線と、前記各ドライブ線および前記各走査線による複数の交差位置の各々にて、前記ドライブ線および前記走査線間に接続された極性を有する複数の容量性の発光素子からなる発光表示パネルの駆動方法であって、前記走査線のいずれかを基準電位に設定して発光素子を発光駆動させる状態において、非走査状態における発光素子の寄生容量を介して非走査状態の走査線に生ずる電圧値に対応して、前記走査線に加える逆バイアスの電圧値を随時変化させる制御を実行するようにした点に特徴を有する。
【００４７】
この場合、好ましくは前記非走査状態における発光素子の寄生容量を介して非走査状態の走査線に生ずる電圧値をピークホールドし、ピークホールドした電圧値に基づいて、前記走査線に加える逆バイアスの電圧値を生成するようになされる。加えて、前記ピークホールドした電圧値を、除々に放電させるようになされることが望ましい。
【００４８】
前記した駆動方法を採用した発光表示パネルの駆動装置によると、非走査状態における発光素子の寄生容量を介して走査線に生ずる電圧値、すなわち発光素子の順方向電圧が利用され、この電圧値に基づいて走査線に加える逆バイアスの電圧値ＶM が制御される。したがって、例えば経時変化により、発光表示パネルを構成するＥＬ素子の順方向電圧Ｖf が上昇したとしても、これに追従して前記逆バイアスの電圧値ＶM も上昇するように制御される。これにより、ＥＬ素子の順方向電圧Ｖf と逆バイアスの電圧値ＶM との間の電位差は常に所定の範囲に維持される。
【００４９】
したがって、表示パネルの駆動装置に、例えば前記した陰極リセット法を採用した場合においては、走査直前においてＥＬ素子に初期充電されるバイアス電圧ＶM に対応した充電電圧は、常に素子の順方向電圧Ｖf のピーク値に近い状態に維持されるため、初期充電動作によるＥＬ素子の発光開始時期に遅れが生ずることを防止することができる。と同時に逆バイアス電圧ＶM が順方向電圧Ｖf より高くなることもないので、過充電による過発光ダメージも発生しない。したがって、ＥＬ素子は走査の開始と共に即座に最適に点灯発光するので、ＥＬ素子の発光量をほぼ一定となるように制御することができる。
【００５０】
したがって、前記したように経時変化によりＥＬ素子の順方向電圧Ｖf がたとえ上昇しても、ＥＬ素子の発光量はほぼ一定となるように制御されるので、ＥＬ素子が所定の発光量を確保できる期間、すなわちＥＬ素子の寿命を実質的に延ばすことができる。
【００５１】
さらに、ドライブされている陽極線と走査選択がなされていない陰極線との交点に接続された各ＥＬ素子に対しては、ＥＬ素子の順方向電圧Ｖf に追従して制御される適正な値の逆バイアス電圧ＶM が供給されるので、前記各ＥＬ素子がクロストーク発光するのを効果的に抑制することができると共に、前記したリーク現象を引き起こして、表示パネルの表示品位を低下させるという問題も回避することができる。
【００５２】
そして、前記した作用は、例えばＥＬ素子を製造する際の成膜（蒸着）処理等のばらつきによって生ずる順方向電圧のばらつき、並びにＥＬ素子の発光色に基づく順方向電圧の相異によっても同様に作用するので、回路の動作点を格別に調整することなく、常に安定、最適化した発光特性を得ることが可能となる。
【００５３】
【発明の実施の形態】
以下、この発明にかかる発光表示パネルの駆動装置について、その第１の実施の形態を図１に基づいて説明する。なお、図１においてはすでに説明した図６に示した各構成要素に対応する部分を同一符号で示しており、したがって、その詳細な説明は適宜省略する。図１における符号２１は、ピークホールド回路を示している。ここで、ピークホールド回路は、オペアンプＯＰ1 、ダイオードＤ3 、抵抗Ｒ6 、コンデンサＣ3 により構成されている。
【００５４】
前記オペアンプＯＰ1 の非反転入力端は、ピークホールド回路の入力端を構成しており、前記した陰極線走査回路３における走査スイッチＳY1〜ＳYmを介して、非走査状態の陰極線Ｂ1 〜Ｂm に接続されるようになされている。そして、オペアンプＯＰ1 の出力端にはダイオードＤ3 のアノードが接続され、当該ダイオードＤ3 のカソードはオペアンプＯＰ1 の反転入力端に接続されている。これにより、オペアンプＯＰ1 の非反転入力端とダイオードＤ3 のカソードとの間で、周知の非反転型半波整流回路を構成している。
【００５５】
前記ダイオードＤ3 のカソード側、すなわち半波整流回路の出力端には、抵抗Ｒ6 が接続されており、この抵抗を介してピークホールド用のコンデンサＣ3 が接続されている。そして、前記コンデンサＣ3 と並列に放電手段を構成する抵抗Ｒ7 が接続されている。この構成により、抵抗Ｒ6 はコンデンサＣ3 と共に充電時定数を構成し、また抵抗Ｒ7 はコンデンサＣ3 と共に放電時定数を構成している。また、ピークホールド回路は抵抗Ｒ6 とＲ7 により分圧した半波整流出力を、コンデンサＣ3 においてホールドするように作用し、これにより抵抗Ｒ6 とＲ7 は後述する帰還量の調整手段を構成している。
【００５６】
前記コンデンサＣ3 の端子電圧（ピークホールド値）は、逆バイアス電圧生成回路５に供給されるように構成されている。この実施の形態における逆バイアス電圧生成回路５は、オペアンプＯＰ2 、ダイオードＤ4 、抵抗Ｒ8 、抵抗Ｒ9 により構成している。前記オペアンプＯＰ2 とダイオードＤ4 の組み合わせは、非反転型半波整流機能を有する電圧バッファ回路を構成しており、その出力は抵抗Ｒ8 と抵抗Ｒ9 からなる分圧回路を介して、前記したピークホールド回路の入力端に供給できるように構成されている。換言すれば、逆バイアス電圧生成回路５の出力は、走査スイッチＳY1〜ＳYmを介して、陰極線Ｂ1 〜Ｂm に供給できるように構成されている。
【００５７】
一方、前記したピークホールド用のコンデンサＣ3 と並列に、スイッチＳＷが接続されており、このスイッチＳＷは前記した発光制御回路４からの指令信号によって駆動され、そのオン動作によりコンデンサＣ3 の電荷を瞬時に放電させるピーク値リセット手段を構成している。
【００５８】
前記した構成はピークホールド回路２１と、逆バイアス電圧生成回路５とが１つの閉ループを構成している。そのために、ピークホールド回路２１において、抵抗Ｒ6 とＲ7 により分圧回路、すなわち帰還量の調整手段を構成している。また、逆バイアス電圧生成回路５においても、抵抗Ｒ8 とＲ9 により分圧回路、すなわち帰還量の調整手段を構成している。
【００５９】
これらの帰還量調整手段により、ピークホールド回路２１と、逆バイアス電圧生成回路５とによる閉ループにおけるループゲインが１未満となるように構成している。これにより、前記した閉ループにおいて発振状態となるのを避けるようになされている。また、前記閉ループが発振状態にならないまでも、例えば動作電源電圧等の変動等による過渡現象を受けて、ループの各電位が例えば高い電圧に張り付き、その状態にロックされるという現象を避けるようになされている。
【００６０】
以上の構成において、発光制御回路４に供給される画像信号に基づいて、前記走査スイッチＳY1〜ＳYmおよびドライブスイッチＳX1〜ＳXnが操作される。すなわち、陰極走査線ＳY1〜ＳYmを所定の周期で基準電位に設定しながら、画像信号に基づいて陽極ドライブ線ＳX1〜ＳXnに対して定電流回路Ｉ1 〜Ｉn が接続される。これにより、前記発光表示パネル１に配列された各ＥＬ素子ＯＥＬは選択的に発光し、表示パネル１上に前記画像信号に基づく画像が再生される。
【００６１】
ここで、いずれかのＥＬ素子ＯＥＬが点灯表示された場合には、そのＥＬ素子が接続されたドライブ線に、当該ＥＬ素子の順方向電圧Ｖf が生成される。この順方向電圧Ｖf は、逆バイアス電圧ＶM より高くなった場合、非走査状態におけるＥＬ素子の各寄生容量Ｃp を充電するよう非走査状態の陰極走査線に流れ込み、抵抗Ｒ9 の電圧を上昇させる。したがって、前記順方向電圧Ｖf に対応したピーク電圧は、走査スイッチＳY1〜ＳYmを介して前記したオペアンプＯＰ1 の非反転入力端に供給される。これにより、コンデンサＣ3 には前記順方向電圧Ｖf のピーク値に対応した電圧がピークホールドされる。
【００６２】
前記コンデンサＣ3 にホールドされたピーク電圧値は、前記した逆バイアス電圧生成回路５に供給され、当該生成回路５により生成された逆バイアス電圧は、走査スイッチＳY1〜ＳYmを介して、非走査状態におけるＥＬ素子のカソード端子にそれぞれ逆バイアス電圧ＶM として供給される。したがって、例えば経時変化もしくは環境温度の変化等により、ＥＬ素子の順方向電圧Ｖf が上昇すれば、これに追従して逆バイアス電圧生成回路５からの逆バイアス電圧ＶM も上昇するように作用する。また、ピークホールド回路を構成する前記コンデンサＣ3 には、放電抵抗Ｒ7 が接続されており、したがって、ＥＬ素子の順方向電圧Ｖf のピーク値が降下すれば、これに追従して逆バイアス電圧生成回路５からの逆バイアス電圧ＶM も降下するように作用する。
【００６３】
このように、逆バイアス電圧生成回路５からの逆バイアス電圧ＶM は、常にＥＬ素子の順方向電圧Ｖf のピーク値に対応した値に追従するので、走査選択がなされていない陰極線との交点に接続された各ＥＬ素子に対しては、適正な値の逆バイアス電圧ＶM が供給され、前記各ＥＬ素子がクロストーク発光するのを効果的に抑制することができる。この場合、前記したリーク現象を引き起こして、表示パネルの表示品位を低下させたり、過充電により素子劣化を引き起こすという問題も回避することができる。
【００６４】
一方、逆バイアス電圧生成回路５からもたらされる逆バイアス電圧ＶM は、前記した陰極リセット動作において、次の走査で発光駆動されるＥＬ素子の寄生容量に対する充電電圧として利用される。この場合においても、逆バイアスの電圧値ＶM はＥＬ素子の順方向電圧Ｖf のピーク値に比較して僅かに低い電位に追従するようになされているので、陰極リセット動作によって、次に走査発光されるＥＬ素子の寄生容量に対し、瞬時に発光可能な電位に充電する。
【００６５】
したがって、ＥＬ素子は走査の開始と共に即座に点灯発光するので、ＥＬ素子の発光量を常に一定となるように制御することができる。換言すれば、経時変化によりＥＬ素子の順方向電圧Ｖf がたとえ上昇しても、当該ＥＬ素子は走査期間の直後より点灯状態とされ、その走査期間に亙って点灯が維持される。したがって、ＥＬ素子が所定の発光量を確保できる期間、すなわちＥＬ素子の寿命を実質的に延ばすことができる。
【００６６】
一方、ピーク値リセット手段を構成する前記スイッチＳＷは、発光制御回路４からの指令信号によって、オン制御されてピーク電圧のリセット動作を行う。これは、次に走査点灯されるＥＬ素子の順方向電圧Ｖf が急激に小さくなる場合において実行される。例えば、発光制御回路４に継続的に供給される画像信号に、その輝度を低下させる情報が含まれている場合においては、前記発光制御回路４は表示パネル１のドライブ前に、この情報を取得することができ、これに基づいて前記スイッチＳＷを瞬間的にオン動作させるようになされる。
【００６７】
また、例えば、発光色が異なるＥＬ素子を配列することによりマルチカラー画面を形成した表示パネル１を駆動する場合において、順方向電圧が高い例えば、Ｂ（青色）発光のＥＬ素子の走査から、順方向電圧が低い例えば、Ｇ（緑色）発光のＥＬ素子の走査に移る瞬間において、同様にリセット動作が行われる。これにより、次に走査点灯されるＥＬ素子に対して過度の逆バイアス電圧ＶM を印加するのを避けることができる。
【００６８】
次に、図２はこの発明にかかる駆動装置の第２の実施の形態を示したものである。なお、図２においてはすでに説明した図１、図６に示した各構成要素に対応する部分を同一符号で示しており、したがって、その詳細な説明は省略する。図２に示す実施の形態においては、前記したピークホールド回路２１および逆バイアス電圧生成回路５を、比較的簡素なディスクリート回路により構成したものであり、他は前記した図１に示す実施の形態と同様である。
【００６９】
すなわち、ピークホールド回路２１を構成する電圧バッファは、ｐｎｐトランジスタＱ4 と、ｎｐｎトランジスタＱ5 により構成されている。初段のｐｎｐトランジスタＱ4 におけるベースには、発振マージンアップ用の抵抗Ｒ11を介して、前記したようにＥＬ素子の順方向電圧Ｖf のピーク値に対応した電圧が供給されるようになされており、トランジスタＱ4 のコレクタはアース接続されると共に、エミッタは抵抗Ｒ12を介して動作電源に接続されている。これにより、トランジスタＱ4 はエミッタフォロワを構成している。
【００７０】
そして、次段のｎｐｎトランジスタＱ5 のベースは、前段のトランジスタＱ4 におけるエミッタに接続されており、トランジスタＱ5 のコレクタは動作電源に接続されると共に、エミッタは抵抗Ｒ6 ，Ｒ7 を介してアース接続されている。これにより、次段のトランジスタＱ5 もエミッタフォロワを構成している。前記した２段のエミッタフォロワ構成による電圧バッファの出力は、ピークホールド用コンデンサＣ3 を充電し、コンデンサＣ3 はＥＬ素子の前記した順方向電圧Ｖf のピーク値に対応した電圧値をホールドする。
【００７１】
一方、逆バイアス電圧生成回路５においても同様な電圧バッファを構成している。すなわち、初段のｐｎｐトランジスタＱ6 におけるベースには、発振マージンアップ用の抵抗Ｒ13を介して、コンデンサＣ3 の端子電圧が供給されるようになされており、トランジスタＱ6 のコレクタはアース接続されると共に、エミッタは抵抗Ｒ14を介して動作電源に接続されている。これにより、トランジスタＱ6 はエミッタフォロワを構成している。
【００７２】
そして、次段のｎｐｎトランジスタＱ7 のベースは、前段のトランジスタＱ6 におけるエミッタに接続されており、トランジスタＱ7 のコレクタは動作電源に接続されると共に、エミッタは抵抗Ｒ8 ，Ｒ9 を介してアース接続されている。これにより、次段のトランジスタＱ7 もエミッタフォロワを構成しており、その出力は、エミッタ抵抗Ｒ8 ，Ｒ9 の分圧出力として取り出されるように構成されている。
【００７３】
図２に示した構成によると、前記したようにピークホールド回路２１および逆バイアス電圧生成回路５を、それぞれ２段構成のエミッタフォロワにより構成したものであり、その作用は前記した図１に示す実施の形態と同様である。
【００７４】
次に、図３はこの発明にかかる駆動装置の第３の実施の形態を示したものである。なお、図３に示した実施の形態における基本構成は、図２に示した構成と同様であり対応する部分を同一符号で示している。したがって、その詳細な説明は省略する。この図３に示す実施の形態においては、前記したピークホールド回路２１によってホールドされたコンデンサＣ3 の端子電圧を利用して、ＤＣ−ＤＣコンバータの昇圧出力を制御し、表示パネル１を駆動する際の電力損失を低減できるように構成したものである。
【００７５】
例えば、図１および図２に示した実施の形態においては、陽極線ドライブ回路２における各定電流回路Ｉ1 〜Ｉn に印加するＤＣ−ＤＣコンバータ６よりもたらされる出力電圧は、前記した例えばＰＷＭ方式を利用したスイッチングレギュレータにより、常にほぼ一定の出力電圧（定電圧）となるように制御されている。この場合、ＤＣ−ＤＣコンバータ６よりもたらされる出力電圧は、陽極線ドライブ回路２における定電流回路の定電流特性が十部に確保できるように、次のような各要素を考慮して高めに設定せざるを得ない。
【００７６】
すなわち、前記要素としては、例えば前記したスイッチングレギュレータ回路１１を構成する各回路部品の定数公差、また、各定電流回路Ｉ1 〜Ｉn における電圧降下量のばらつき、また、各有機ＥＬ素子の最大輝度レベル時におけるパネル配線抵抗による電圧降下分、さらに、図５（ａ）に基づいて説明したＥＬ素子の経時変化に基づく順方向電圧の上昇分、さらにまた、図５（ｃ）に基づいて説明したＥＬ素子の温度依存性による順方向電圧の変動分などを挙げることができる。そして、前記した発光表示パネルの駆動装置においては、これらの各要素が相乗的に作用した場合においても、前記定電流回路Ｉ1 〜Ｉn の定電流特性が十部に確保できるように、前記ＤＣ−ＤＣコンバータ６よりもたらされる出力電圧を、より高く設定するようになされている。
【００７７】
しかしながら、前記したようにＤＣ−ＤＣコンバータよりもたらされる出力電圧をより高く設定した場合には、過剰な電力損失を伴う場合が多く、例えば、これを携帯型端末器等に採用した場合においては、電池の消耗を助長させるだけでなく、電力損失による発熱を伴う結果を招いている。すなわち、前記出力電圧をより高く設定した場合には、結果として陽極線ドライブ回路２における各定電流回路Ｉ1 〜Ｉn における電圧降下が大きくなり、それに比例して電力損失が増大する。したがって、このために発生する熱により有機ＥＬ素子および周辺回路部品等に対してストレスを与えることになり、特に前記したＥＬ素子の寿命を短縮させるなどの問題を招来させる。
【００７８】
そこで、図３に示す実施の形態においては、ＤＣ−ＤＣコンバータ６における抵抗Ｒ1 とＲ2 との間に、ｐｎｐトランジスタＱ9 が挿入されており、当該トランジスタのベースには、前記したピークホールド回路２１によってホールドされたコンデンサＣ3 の端子電圧が供給されるように構成されている。したがって、前記トランジスタＱ9 のベースには、駆動状態のＥＬ素子における順方向電圧Ｖf に対応した電圧が印加されることになる。前記トランジスタＱ9 は、電流バッファとして機能しており、当該トランジスタＱ9 のエミッタ電流は、コレクタ電流にほぼ等しい。
【００７９】
そこで、前記コンデンサＣ3 の端子電圧をＶｍとした場合、この端子電圧をＶｍに対して、トランジスタＱ9 のエミッタ・ベース間電圧（Ｖbe）が重畳されて、抵抗Ｒ2 側に印加されるため、ＤＣ−ＤＣコンバータ６における出力電圧が、前記Ｖｍに対応して上昇することになる。このＤＣ−ＤＣコンバータ６における出力電圧は、ＰＷＭによるスイッチングレギュレータ回路１１を介してフィードバックされており、それ故、前記抵抗Ｒ2 とＲ1 の比と、基準電圧Ｖref のパラメータにしたがって、ＤＣ−ＤＣコンバータ６における出力電圧が決定される。したがって、図３に示した回路構成によるＤＣ−ＤＣコンバータ６より得られる出力電圧Ｖout1は、次のように示すことができる。
【００８０】
【数４】
0004873677.tif 000005
【００８１】
前記した説明で明らかなように、図３に示した回路構成によるＤＣ−ＤＣコンバータ６より得られる出力電圧Ｖout1には、結果としてＥＬ素子の順方向電圧のピーク値に対応するものであり、ＥＬ素子の順方向電圧に応じてＤＣ−ＤＣコンバータ６より得られる出力電圧Ｖout1が変化するように作用する。それ故、図３に示す構成によると、図１および図２に示した駆動装置のように、各要素に応じて積み上げた無駄なマージンを乗せて、ＤＣ−ＤＣコンバータ６の出力電圧を高めに設定する必要性を無くすことができる。
【００８２】
換言すれば、各ＥＬ素子を点灯駆動する前記定電流回路Ｉ1 〜Ｉn における定電流特性が常に確保できる程度の最適化出力電圧を、ＤＣ−ＤＣコンバータより出力させることができる。これにより、定電流回路Ｉ1 〜Ｉn における電圧降下分を最小限に制御することが可能となり、当該定電流回路において発生する電力損失を効果的に抑えることができる。また、ＤＣ−ＤＣコンバータ６より得られる出力電圧Ｖout1は、例えば経時変化によりＥＬ素子の順方向電圧が増大した場合においても、これに追従することができ、さらに、ＥＬ素子の温度依存性による順方向電圧の変化にも追従することができる。
【００８３】
なお、図３に示した回路構成においては、図１および図２に示すピーク値リセット手段としてのスイッチＳＷは備えられていないが、これは必要に応じて備えることもできる。
【００８４】
【発明の効果】
以上の説明で明らかなように、この発明にかかる駆動方法を採用した発光表示パネルの駆動装置によると、走査線に加える逆バイアスの電圧値を、発光素子の発光点灯状態における順方向電圧のピーク値に応じて随時変化させるようになされるので、常に最適化された逆バイアス電圧を得ることができ、クロストーク発光を効果的に抑制することができる。また、例えば発光素子の経時変化により素子の順方向電圧が上昇しても輝度低下を来すことなく、発光素子の寿命を実質的に延ばすことが可能となる。さらに、発光素子の順方向電圧が異なる各色の表示パネルに対しても、同一の駆動回路を採用することができ、コストの低減に寄与することができる。
【図面の簡単な説明】
【図１】この発明にかかる駆動装置の第１の実施形態を示した結線図である。
【図２】同じく、第２の実施形態を示した結線図である。
【図３】同じく、第３の実施形態を示した結線図である。
【図４】有機ＥＬ素子の等価回路を示す図である。
【図５】有機ＥＬ素子の諸特性を示した特性図である。
【図６】従来の駆動装置の一例を示した結線図である。
【図７】陰極リセット法を説明する結線図である。
【符号の説明】
１              発光表示パネル
２              陽極線ドライブ回路
３              陰極線走査回路
４              発光制御回路
５              逆バイアス電圧生成回路
６              ＤＣ−ＤＣコンバータ（昇圧回路）
１１            スイッチングレギュレータ回路
１２            ＤＣ電圧源
１４            誤差増幅器
１５            ＰＷＭ回路
１６            発振器
２１            ピークホールド回路
Ａ1 〜Ａn       陽極（ドライブ）線
Ｂ1 〜Ｂm       陰極（走査）線
Ｃ3             ピークホールド用コンデンサ
Ｄ1 〜Ｄ4       ダイオード
Ｉ1 〜Ｉn       定電流回路（定電流源）
Ｌ1             インダクタ
ＯＥＬ          有機ＥＬ素子
ＯＰ1 ，ＯＰ2   オペアンプ
Ｑ1 〜Ｑ9       トランジスタ
Ｒ1 〜Ｒ14      抵抗
ＳX1〜ＳXn      ドライブスイッチ
ＳY1〜ＳYn      走査スイッチ
ＳＷ            スイッチ（ピーク値リセット手段）
Ｖref           基準電圧源
【図１】
0004873677.tif 000006
【図２】
0004873677.tif 000007
【図３】
0004873677.tif 000008
【図４】
0004873677.tif 000009
【図５】
0004873677.tif 000010
【図６】
0004873677.tif 000011
【図７】
0004873677.tif 000012